(57)【要約】【課題】エレベーターのドアレールの上面に付着した異物と共にドアレールの下面に付着した異物を除去することができるようにする。【解決手段】本発明に係るエレベーターのドアレール清掃具は、ドアレール１を挟んで互いに対向して、かつ、開閉可能に配置された第１保持板２１及び第２保持板２２と、第１保持板２１に装着されてドアレール１の上面１ａ側に付着したごみ１９を除去する第１布やすり２３、及び第２保持板２２に装着されてドアレール１の下面１ｂに付着した錆２０を除去する第２布やすり２４と、第１保持板２１と第２保持板２２を開いた状態から閉じるボルト２５、ばね受け２６、ばね２７、及びナット２８を含む閉動作部と、第１保持板２１と第２保持板２２を閉じた状態から開く押し上げ部材２９及び蝶ナット３０を含む開動作部とを備えている。【選択図】図３
2018024488.tif 000002
【特許請求の範囲】
【請求項１】
エレベーターのドアを案内するドアレールに付着した異物を除去するエレベーターのドアレール清掃具であって、
前記ドアレールを挟んで互いに対向して、かつ、開閉可能に配置された第１保持部材及び第２保持部材と、
前記第１保持部材及び前記第２保持部材の少なくとも一方に装着されて前記ドアレールの上面側に付着した前記異物を除去する第１研磨部、及び前記第１保持部材及び前記第２保持部材の少なくとも一方に装着されて前記ドアレールの下面側に付着した前記異物を除去する第２研磨部と、
前記第１保持部材と前記第２保持部材を開いた状態から閉じる閉動作部、及び前記第１保持部材と前記第２保持部材を閉じた状態から開く開動作部とを備えることを特徴とするエレベーターのドアレール清掃具。
【請求項２】
請求項１に記載のエレベーターのドアレール清掃具であって、
前記第１保持部材を支持する支持部を備えており、
前記第１保持部材は、前記第１研磨部が装着され第２保持部材方向に延設されており、前記ドアレールの上側に配置された張り出し部と、前記支持部が固定された固定部と、前記張り出し部と前記固定部に連設されて上下方向に立設された立設部とを有する第１保持板から成り、
前記第２保持部材は、上下方向に立設されて前記閉じた状態で前記第１保持板の前記張り出し部に接合する第１立設部と、上下方向に立設されて前記閉じた状態で前記第１保持板の前記立設部に接合し前記開いた状態で前記第１保持板の前記立設部に当接する下端部を有する第２立設部と、一端が前記第１立設部に連設され他端が前記第２立設部に連設され前記第２研磨部が装着されており、前記ドアレールの下側に配置された段部とを有する第２保持板から成ることを特徴とするエレベーターのドアレール清掃具。
【請求項３】
請求項２に記載のエレベーターのドアレール清掃具であって、
前記閉動作部は、前記第１保持板の前記立設部に形成された穴、及び前記第２保持板の前記第２立設部に形成された穴のそれぞれに挿通するボルトと、前記ボルトに取り付けられたばね受けと、前記ボルトに装着されており、一端が第１保持板側に係止され他端が前記ばね受けに係止されて、前記第２保持板の前記第２立設部が前記第１保持板の前記立設部に当接するように前記ボルトの頭部を介して前記第２保持板を付勢するばねと、前記ボルトに螺合されており、前記ばね受けの移動を規制するナットとから成り、
前記開動作部は、前記ナットに対向するように前記閉動作部の前記ボルトに装着されて、清掃作業者の手指の引っ掛けが可能な引っ掛け部を有し、前記ボルトの前記頭部とは反対側に位置する部分の押し上げが可能な押し上げ部材と、前記ボルトに装着されており、前記押し上げ部材を前記ナットに押圧固定する蝶ナットとから成ることを特徴とするエレベーターのドアレール清掃具。
【請求項４】
請求項２に記載のエレベーターのドアレール清掃具であって、
前記支持部は、前記第１保持板の前記固定部に固定されて上下方向に延設された支持部材と、前記支持部材に装着されて清掃作業者が把持可能な把持部とから成ることを特徴とするエレベーターのドアレール清掃具。
【請求項５】
請求項１に記載のエレベーターのドアレール清掃具であって、
前記第１研磨部は第１布やすりから成り、前記第２研磨部は第２布やすりから成ることを特徴とするエレベーターのドアレール清掃具。
【請求項６】
請求項２に記載のエレベーターのドアレール清掃具であって、
前記第１保持板の両側部に、前記ドアレールを固定するボルトとの干渉を避ける第１切り欠き部を有しており、前記第２保持板の両側部に、前記ドアレールを固定するボルトとの干渉を避ける第２切り欠き部を有していることを特徴とするエレベーターのドアレール清掃具。
【請求項７】
請求項３に記載のエレベーターのドアレール清掃具であって、
前記第１保持板は前記立設部に形成された穴とは異なる第１貫通穴を有しており、前記第２保持板は前記第２立設部に形成された穴とは異なる第２貫通穴を有していることを特徴とするエレベーターのドアレール清掃具。
【請求項８】
請求項７に記載のエレベーターのドアレール清掃具であって、
前記第１保持板は、前記立設部に前記第１貫通穴を有しており、前記第２保持板は、前記第１立設部及び前記第２立設部に前記第２貫通穴を有していることを特徴とするエレベーターのドアレール清掃具。
【発明の詳細な説明】
【技術分野】
【０００１】
本発明は、エレベーターのドアレールに付着したごみ等の異物を除去するエレベーターのドアレール清掃具に関する。
【背景技術】
【０００２】
この種の従来技術が特許文献１に開示されている。特許文献１には、柄に取り付けられた保持筒の下端に、エレベーターのドアレールの上面を清掃可能な清掃部材を備えた清掃器が記載されている。
【先行技術文献】
【特許文献】
【０００３】
【特許文献１】特開平３−９５０９２号公報
【発明の概要】
【発明が解決しようとする課題】
【０００４】
特許文献１に開示された清掃器にあっては、ドアレールの上面に付着した異物、すなわち上面に堆積したほこり等のごみを除去することはできるが、ドアレールの下面に付着した異物、例えばドアレールの下面に生じた錆を除去することはできない。したがって、ドアレールの下面の錆を除去するための別の清掃作業が必要になり、ドアレールの清掃時の作業能率の向上を見込めない問題があった。
【０００５】
上記課題を解決するために、本発明の目的は、ドアレールの上面に付着した異物と共にドアレールの下面に付着した異物を除去することができるエレベーターのドアレール清掃具を提供することにある。
【課題を解決するための手段】
【０００６】
上記課題を解決するために、本発明に係るエレベーターのドアレール清掃具は、エレベーターのドアを案内するドアレールに付着した異物を除去するエレベーターのドアレール清掃具であって、前記ドアレールを挟んで互いに対向して、かつ、開閉可能に配置された第１保持部材及び第２保持部材と、前記第１保持部材及び前記第２保持部材の少なくとも一方に装着されて前記ドアレールの上面側に付着した前記異物を除去する第１研磨部、及び前記第１保持部材及び前記第２保持部材の少なくとも一方に装着されて前記ドアレールの下面側に付着した前記異物を除去する第２研磨部と、前記第１保持部材と前記第２保持部材を開いた状態から閉じる閉動作部、及び前記第１保持部材と前記第２保持部材を閉じた状態から開く開動作部とを備えることを特徴としている。
【発明の効果】
【０００７】
本発明に係るエレベーターのドアレール清掃具によれば、ドアレールの上面に付着した異物と共に下面に付着した異物も除去することができ、ドアレールの清掃時の作業能率を従来よりも向上させることができる。前述した以外の課題、構成及び効果は、以下の実施形態の説明により明らかにされる。
【図面の簡単な説明】
【０００８】
【図１】本発明に係るドアレール清掃具による清掃対象のエレベーターのドアレール付近の状態を示す図で、（ａ）は乗場ドアが閉じた状態を示す要部正面図、（ｂ）は乗場ドアが開いた状態を示す要部正面図である。
【図２】図１に示したドアレールに異物が付着した状態を示す要部拡大正面図である。
【図３】本発明に係るエレベーターのドアレール清掃具の一実施形態を示す図で、ドアレール清掃時の形態を示す側面図である。
【図４】本実施形態に係るドアレール清掃具のドアレールに対する着脱時の形態を示す側面図である。
【図５】本実施形態に係るドアレール清掃具の正面側から見た図である。
【図６】本実施形態を用いて行われるドアレール清掃時の状態を示す要部斜視図である。
【図７】本発明に係るエレベーターのドアレール清掃具に備えられる第１保持部材の別の例を示す図で、（ａ）は正面図、（ｂ）は側面図である。
【発明を実施するための形態】
【０００９】
以下、本発明に係るエレベーターのドアレール清掃具の実施の形態を図面に基づいて説明する。
【００１０】
図１は、本発明に係るドアレール清掃具による清掃対象のエレベーターのドアレール付近の状態を示す図で、（ａ）は乗場ドアが閉じた状態を示す要部正面図、（ｂ）は乗場ドアが開いた状態を示す要部正面図、図２は、図１に示したドアレールに異物が付着した状態を示す要部拡大正面図である。はじめに、これらの図１および図２に基づいて、本発明に係るドアレール清掃装置による清掃対象のエレベーターのドアレールと、このドアレールに付着した異物について説明する。
【００１１】
図１に示すように、乗場側に配置されたドアレール１は、乗場側に設けられた保持部材２に図示しないボルトによって固定されている。乗場ドア３，４をそれぞれ吊り下げるドアハンガー５，６のそれぞれに設けられたハンガーローラ７が、ドアレール１の上面１ａを転動する。図２に示すようにドアハンガー５には、このドアハンガー５の移動中の揺れを防ぐ揺れ止めローラ８が取り付けられている。ドアハンガー６にも同様の振れ止めローラが取り付けられている。
【００１２】
ドアレール１の一方の端部付近にプーリ９が配置されており、ドアレール１の他方の端部付近にプーリ１０が配置されている。これらのプーリ９，１０には、ワイヤ１１が巻き回されている。ワイヤ１１とドアハンガー５とは連結部１２で連結されており、ワイヤ１１とドアハンガー６とは連結部１３で連結されている。
【００１３】
ドアハンガー６には、図示しないかごドアと係合する係合装置１４が取り付けられており、この係合装置１４はドアロック装置１４ａを有している。また、ドアレール１の中央位置には、ドアロック装置１４ａとの接触によりＯＮとなるスイッチ、すなわち乗場ドア３，４が閉じた状態となったことを検出するドアロックスイッチ１５が配置されている。
【００１４】
また、ドアハンガー５を付勢するばね１６を備えている。このばね１６の一端はドアハンガー５に固定部１７において固定されており、他端はドアレール１を保持する保持部材２の固定部１８において固定されている。
【００１５】
プーリ９，１０を所定方向に回転させると、ドアレール１の上面１ａをハンガーローラ７が転動し、ばね１６の力に抗してドアハンガー５，６のそれぞれが互いに離れる方向に移動し、これに伴ってドアハンガー５，６に吊り下げられた乗場ドア３，４が互いに離れる方向に移動して図２の（ｂ）に示す開状態となる。
【００１６】
また、プーリ９，１０を前述の所定方向とは反対方向に回転させると、ドアレール１の上面１ａをハンガーローラ７が転動し、ばね１６の力も介してドアハンガー５，６のそれぞれが互いに近づく方向に移動し、乗場ドア３，４が互いに近づく方向に移動して図２の（ａ）に示す閉状態となる。
【００１７】
ここで図２に示すように、ドアレール１の上面１ａ及び下面１ｂには経時的に異物が付着する。すなわちドアレール１の上面１ａには、ほこり等のごみ１９から成る異物が付着する。ドアレール１の下面１ｂには、錆２０等の異物が付着する。本実施形態に係るエレベーターのドアレール清掃具は、ドアレール１の上面１ａのごみ１９と、ドアレール１の下面１ｂの錆２０の双方を除去するものである。
【００１８】
図３は、本発明に係るエレベーターのドアレール清掃具の一実施形態を示す図で、ドアレール清掃時の形態を示す側面図、図４は、本実施形態に係るドアレール清掃具のドアレールに対する着脱時の形態を示す側面図、図５は、本実施形態に係るドアレール清掃具の正面側から見た図、図６は、本実施形態を用いて行われるドアレール清掃時の状態を示す要部斜視図である。
【００１９】
図３〜図５に示すように、本実施形態に係るエレベーターのドアレール清掃具は、前述したドアレール１を挟んで互いに対向して、かつ開閉可能に配置された第１保持部材例えば金属製の第１保持板２１と、第２保持部材例えば金属製の第２保持板２２とを備えている。
【００２０】
また、第１保持板２１及び第２保持板２２の少なくとも一方に、例えば第１保持板２１に装着されてドアレール１の上面１ａ側に付着した異物、すなわちほこり等のごみ１９を除去する第１研磨部、例えば第１布やすり２３と、第１保持板２１及び第２保持板２２の少なくとも一方に、例えば第２保持板２２に装着されてドアレール１の下面１ｂ側に付着した異物、すなわち錆２０を除去する第２研磨部、例えば第２布やすり２４とを備えている。
【００２１】
また、第１保持板２１と第２保持板２２を、図４に示す開いた状態から閉じる後述の閉動作部と、第１保持板２１と第２保持板２２を、図３に示す閉じた状態から開く後述の開動作部とを備えている。
【００２２】
第１保持板２１は、第１布やすり２３が装着され第２保持板２２方向に延設されており、ドアレール１の上側に配置された張り出し部２１ａと、第１保持板２１を支持する支持部が固定された固定部２１ｂと、張り出し部２１ａと固定部２１ｂに連設されて上下方向に立設された立設部２１ｃとを有している。前述した支持部は、第１保持板２１の固定部２１ｂに固定されて上下方向に延設された支持部材３１と、この支持部材３１に装着されて清掃作業者が把持可能な把持部３２とから成っている。
【００２３】
第２保持板２２は、上下方向に立設されて図３に示す閉じた状態で第１保持板２１の張り出し部２１ａの端部に接合する上端部２２ａ１を有する第１立設部２２ａと、上下方向に立設されて図３に示す閉じた状態で第１保持板２１の立設部２１ｃに接合し、図４に示す開いた状態で第１保持板２１の立設部２１ｃに当接する下端部２２ｂ１を有する第２立設部２２ｂと、一端が第１立設部２２ａの下端部２２ａ２に連設され他端が第２立設部２２ｂの上端部２２ｂ２に連設され、第２布やすり２４が装着されており、ドアレール１の下側に配置された段部２２ｃとを有している。
【００２４】
図３に示すように閉じた状態における第１保持板２１の張り出し部２１ａと第２保持板２２の段部２２ｃとの間隔寸法は、張り出し部２１ａに装着された第１布やすり２３と段部２２ｃに装着された第２布やすり２４のそれぞれが、ドアレール１の上面１ａ及び下面１ｂのそれぞれをごみ１９あるいは錆２０を除去し得る範囲内で円滑に擦過することができる寸法に予め設定してある。
【００２５】
前述した閉動作部は、第１保持板２１の立設部２１ｃに形成された穴、及び第２保持板２２の第２立設部２２ｂに形成された穴のそれぞれに挿通するボルト２５と、このボルト２５に取り付けられたばね受け２６とを含んでいる。また、ボルト２５に装着されており、一端が第１保持板２１に係止され他端がばね受け２６に係止されて、第２保持板２２の第２立設部２２ｂが第１保持板２１の立設部２１ｃに当接するようにボルト２５の頭部２５ａを介して第２保持板２２を付勢するばね２７と、ボルト２５に螺合されており、ばね受け２６の移動を規制するナット２８とを含んでいる。
【００２６】
前述した開動作部は、ナット２８に対向するように閉動作部のボルト２５に装着されて、清掃作業者の手指の引っ掛けが可能な引っ掛け部２９ａを有し、ボルト２５の頭部２５ａとは反対側に位置する部分の押し上げが可能な押し上げ部材２９と、ボルト２５に装着されており、押し上げ部材２９をナット２８に押圧固定する蝶ナット３０とから成っている。
【００２７】
なお図５に示すように、ボルト２５と、ばね受け２６と、ばね２７と、ナット２８と蝶ナット３０との組み合せを、押し上げ部材２９の延設方向に沿って２組設けてある。
【００２８】
図５に示すように、第１保持板２１の両側部に、ドアレール１を前述した保持部材２に固定する図示しないボルトとの干渉を避ける第１切り欠き部３３を有している。同様に、第２保持板２２の両側部に、ドアレール１を前述した保持部材２に固定する図示しないボルトとの干渉を避ける第２切り欠き部３４を有している。
【００２９】
このように構成した本実施形態に係るドアレール清掃具を用いてドアレール１の清掃を行う際には、図４に示すように清掃作業者は押し上げ部材２９の引っ掛け部２９ａに手指を引っ掛けて、ばね２７を圧縮させるようにして押し上げ部材２９を押し上げる。これにより第２保持板２２は第２立設部２２ｂの下端部２２ｂ１と第１保持板２１の立設部２１ｃとの当接部分を中心にして矢印３５に示すように開く方向に回動する。この状態で、第１保持板２１の張り出し部２１ａの端部と、第２保持板２２の第１立設部２２ａの上端部２２ａ１との間に形成された空隙部からドアレール１の両側を挟むようにして把持部３２を把持して全体を押し上げる。
【００３０】
ドアレール１の上側の付近に第１保持板２１の張り出し部２１ａ及び第１布やすり２３が位置し、ドアレール１の下側の付近に第２保持板２２の段部２２ｃ及び第２布やすり２４が位置した状態で、押し上げ部材２９の引っ掛け部２９ａに加えていた力を除くと、縮められていたばね２７の復帰力によって本実施形態は、図３及び図６に示す閉じた形態となる。
【００３１】
すなわち、第１保持板２１の張り出し部２１ａに装着した第１布やすり２３がドアレール１の上面１ａに接触し、第２保持板２２の段部２２ｃに装着した第２布やすり２４がドアレール１の下面１ｂに接触した状態となる。
【００３２】
この状態で、把持部３２を把持しながらドアレール１の延設方向に沿って本実施形態に係るドアレール清掃部を移動させることにより、ドアレール１の上面１ａのごみ１９は第１布やすり２３で除去され、ドアレール１の下面１ｂの錆２０は、第２布やすり２４で除去される。
【００３３】
なお、本実施形態に係るドアレール清掃具を用いてドアレール１を清掃した後に、ドアレール１の上面１ａにごみ１９がまだ存在している場合には、あるいは下面１ｂに錆２０がまだ存在している場合には、ドアレール１の上面１ａあるいは下面１ｂを布等で拭くことにより、残されたごみ１９あるいは錆２０を完全に取り除くことができる。
【００３４】
また、本実施形態に係るドアレール清掃具をドアレール１から取外す際には、前述のようにして、すなわち図４に示すように第１保持板２１と第２保持板２２とを開いた状態とし、この状態で把持部３２を把持して引き下げることにより取り外すことができる。
【００３５】
また、第１保持板２１の張り出し部２１ａに装着した第１布やすり２３、あるいは第２保持板２２の段部２２ｃに装着した第２布やすり２４を交換する場合などにあっては、押し上げ部材２９の引っ掛け部２９ａと第１保持板２１の固定部２１ｂとの間に例えば剛性部材を差し込むことにより、図４に示した開いた状態を維持させることができる。このように開いた状態を維持させることによって、第１布やすり２３あるいは第２布やすり２４を容易に新しい布やすりに交換することができる。
【００３６】
以上のように構成した本実施形態に係るドアレール清掃具によれば、ドアレール１の上面１ａに付着したごみ１９と共に、ドアレール１の下面１ｂに付着した錆２０を除去することができ、ドアレール１の清掃時の作業能率を向上させることができる。
【００３７】
なお、前述した第１保持板２１を図７に示す金属製の第１保持板４０のように構成してもよい。この図７に示す第１保持板４０も、ドアレール１の上側に配置された張り出し部４０ａと、第１保持板２１を支持する支持部を構成する支持部材３１が固定される固定部４０ｂと、張り出し部４０ａと固定部４０ｂに連設されて上下方向に立設された立設部４０ｃとを有している。また両側部に、ドアレール１を前述した保持部材２に固定するボルトとの干渉を避ける第１切り欠き部４２を有している。さらに、前述したボルト２５が挿通する穴４１とは異なる３つの第１貫通穴４３を有している。これらの第１貫通穴４３は立設部４０ｃに形成してある。
【００３８】
第１保持部材を図７に示す第１保持板４０のように第１貫通穴４３を設けた構成にすれば、第１保持板４０の軽量化を実現できる。
【００３９】
なお、図示しないが第２保持部材も前述した実施形態と同様な第２保持板によって構成し、その第２保持板が第１保持板４０の第１貫通穴４３と同様の第２貫通穴を有するようにしてもよい。このように第２保持板を構成したものでは、第２保持板の軽量化を実現できる。
【００４０】
また、前述した実施形態では、第１保持板２１に第１布やすり２３を装着させ、第２保持板２２に第２布やすり２４を装着させた構成にしてあるが、第１保持板２１及び第２保持板２２を前述した実施形態におけるものとは異なる形状に形成して、第２保持板２２に第１布やすり２３を装着させ、第１保持板２１に第２布やすり２４を装着させてもよい。また、第１保持板２１に第１布やすり２３と第２布やすり２４の双方を装着させてよく、第２保持板２２に第１布やすり２３と第２布やすり２４の双方を装着させてもよい。
【００４１】
また、前述した実施形態の構成に加えて、一端が把持部３２に連結され、他端が乗場側の周辺部に固定される紐状体等から成る連結体を備えた構成にし、これによりドアレール清掃作業に際しての当該ドアレール清掃具の昇降路への落下を防止するようにしてもよい。
【００４２】
また、前述した実施形態では、乗場側に設けられたドアレール１の清掃について述べたが、乗りかご側に設けられ、かごドアを案内する図示しないドアレールの清掃に本実施形態に係るドアレール清掃具を用いてもよい。
【００４３】
なお、各部の構成は図示の実施形態に限定されるものではなく、本発明の主旨を逸脱しない範囲で種々の変更が可能である。
【符号の説明】
【００４４】
１・・ドアレール、１ａ・・上面、１ｂ・・下面、３，４・・乗場ドア、１６・・ばね、１７，１８・・固定部、１９・・ごみ（異物）、２０・・錆（異物）、２１・・第１保持板（第１保持部材）、２１ａ・・張り出し部、２１ｂ・・固定部、２１ｃ・・立設部、２２・・第２保持板（第２保持部材）、２２ａ・・第１立設部、２２ａ１・・上端部、２２ａ２・・下端部、２２ｂ・・第２立設部、２２ｂ１・・下端部、２２ｂ２・・上端部、２２ｃ・・段部、２３・・第１布やすり（第１研磨部）、２４・・第２布やすり（第２研磨部）、２５・・ボルト（閉動作部）、２６・・ばね受け（閉動作部）、２７・・ばね（閉動作部）、２８・・ナット（閉動作部）、２９・・押し上げ部材（開動作部）、２９ａ・・引っ掛け部、３０・・蝶ナット（開動作部）、３１・・支持部材（支持部）、３２・・把持部（支持部）、３３・・第１切り欠き部、３４・・第２切り欠き部、４０・・第１保持板（第１保持部材）、４０ａ・・張り出し部、４０ｂ・・固定部、４０ｃ・・立設部、４１・・穴、４２・・第１切り欠き部、４３・・貫通穴
【図１】
2018024488.tif 000003
【図２】
2018024488.tif 000004
【図３】
2018024488.tif 000005
【図４】
2018024488.tif 000006
【図５】
2018024488.tif 000007
【図６】
2018024488.tif 000008
【図７】
2018024488.tif 000009